(57)【要約】【課題】撮影用照明装置および撮影装置において、撮影用の照明光による画像の不自然さを容易に低減することができるようにする。【解決手段】カメラ１００として、撮影に用いる照明光を形成する照明部１であって、キセノン管４ａを有する放電光源部４と、ＬＥＤを有するＬＥＤ光源部５Ｒ、５Ｌと、放電光源部４およびＬＥＤ光源部５Ｒ、５Ｌを保持する本体部２と、を備え、放電光源部４およびＬＥＤ光源部５Ｒ、５Ｌは、互いの照射光軸の方向が相対的に変更可能である構成とする。【選択図】図１
2014145834.tif 000002
【特許請求の範囲】
【請求項１】
撮影に用いる照明光を形成する撮影用照明装置であって、
キセノン管を有する放電光源部と、
ＬＥＤを有するＬＥＤ光源部と、
前記放電光源部および前記ＬＥＤ光源部を保持する装置本体部と、
を備え、
前記放電光源部および前記ＬＥＤ光源部は、
互いの照射光軸の方向が相対的に変更可能である
ことを特徴とする、撮影用照明装置。
【請求項２】
前記放電光源部は、
その照射光軸の位置および方向が装置本体部に対して一定となるように、該装置本体部に固定され、
前記ＬＥＤ光源部は、
その照射光軸の方向が前記装置本体部に対して変更可能となるように、該装置本体部に保持されている
ことを特徴とする、請求項１に記載の撮影用照明装置。
【請求項３】
前記ＬＥＤ光源部は、
その照射光軸が前記放電光源部の照射光軸の方向に対して傾斜可能となるように、前記装置本体部に保持されている
ことを特徴とする、請求項１または２に記載の撮影用照明装置。
【請求項４】
前記ＬＥＤ光源部は、
その照射光軸を傾斜させるために前記装置本体部に設けられた回転保持部により回転可能に保持されている
ことを特徴とする、請求項３に記載の撮影用照明装置。
【請求項５】
前記ＬＥＤ光源部は、
照明光の投光窓部が、前記装置本体部の内外に進退可能となるように、前記装置本体部に保持されている
ことを特徴とする、請求項１〜４のいずれか１項に記載の撮影用照明装置。
【請求項６】
前記ＬＥＤ光源部は、
その照射光軸の方向を変更することにより、前記放電光源部の照射領域の外縁部に重なる領域に照明光が照射可能となるように、前記装置本体部に保持されている
ことを特徴とする、請求項１〜５のいずれか１項に記載の撮影用照明装置。
【請求項７】
前記ＬＥＤ光源部は、
色温度が異なる複数種類のＬＥＤチップを備え、
該ＬＥＤチップは、互いに独立に発光制御可能である
ことを特徴とする、請求項１〜６のいずれか１項に記載の撮影用照明装置。
【請求項８】
請求項１〜７のいずれか１項に記載の撮影用照明装置と、
撮影光学系を有する撮影装置本体と、
を備える、撮影装置。
【請求項９】
前記撮影用照明装置は、
前記装置本体部に対して、前記ＬＥＤ光源部の照射光軸の方向を変更する光源移動部を備え、
前記撮影装置本体は、
前記光源移動部の動作を制御して、前記ＬＥＤ光源部の照射光軸の方向を制御する移動制御部を備える
ことを特徴とする、請求項８に記載の撮影装置。
【発明の詳細な説明】
【技術分野】
【０００１】
本発明は、撮影用照明装置および撮影装置に関する。
【背景技術】
【０００２】
従来、例えば、カメラ、ビデオ等の撮影装置は、例えば、曇天、夜間、逆光などの撮影条件によって被写体に対する照明が不十分となり、適正露出が得られない場合に、ストロボや補助ライト等の撮影用照明装置を用いて被写体を照明することが行われている。このような撮影用照明装置は、撮影装置に内蔵されていたり、一体に取り付けられていたりすることが多い。
しかし、このような従来の撮影用照明装置の光源は、フィルム感度に応じて最適のホワイトバランスが得られるように色温度が設定されて来た経緯から、色温度の種類が限られている。例えば、写真撮影用として最も普及しているのは、キセノン管を用いたストロボ光源であり、その色温度は、自然昼光に近い約５４００Ｋである。しかし、その波長強度分布は、自然昼光に比べて赤色領域の相対強度が低いため、自然昼光の温かみに欠ける照明になる。特に、撮像素子を用いたデジタルカメラ等による撮影では、波長強度分布に忠実に撮像されると、赤色領域の光量低下の影響がより顕著に現れる。
また、撮影装置に内蔵された撮影用照明装置を用いた撮影では、撮影用照明装置による照明光の照射方向が、被写体に向かう一方向に限られているため、被写体の輪郭に沿って強い影が現れて、光が「硬く」なるため、平面的な印象が強い画像になってしまうという問題もある。
例えば、特許文献１には、カメラに複数の発光手段を備えることによって、発光手段が発光した光に起因する黒い影の発生を減少させて自然な画像を得ることを目的として、「発光手段が補助光を発光して被写体を撮影する発光装置付きカメラにおいて、発光ダイオードから構成される第１の発光手段及び発光ダイオードから構成される第２の発光手段が発光する補助光の光質を調節する発光制御手段を備え、前記第１の発光手段と前記第２の発光手段とを異なる場所に設けたことを特徴とする発光装置付きカメラ」が記載されている。
【先行技術文献】
【特許文献】
【０００３】
【特許文献１】特開２００３−２１５６７３号公報
【発明の概要】
【発明が解決しようとする課題】
【０００４】
しかしながら、上記のような従来技術には、以下の問題があった。
特許文献１に記載の技術では、撮影光軸を挟んで左右対称な位置に設けられた互いに平行な照射光軸を有するＬＥＤからなる２つの発光手段を有することにより、被写体の周囲に発生する影を減少できるものの、単位時間当たりの発光量がキセノン管に比べて低いため、撮影シーンによっては、光量不足を招き易いという問題がある。
また、特許文献１に記載の技術では、ＬＥＤの発光バランスを調整することで、種々の発光色に設定できるため、「発光手段が発光した光に起因する影に色を付け、独特な雰囲気を有する画像を創作する」ことや「利用者による画像の味付け」を行うことができるものの、補助光撮影に関する知識の乏しい利用者が使いこなすことは難しいという問題がある。
【０００５】
本発明は、上記のような問題に鑑みてなされたものであり、撮影用の照明光による画像の不自然さを容易に低減することができる撮影用照明装置および撮影装置を提供することを目的とする。
【課題を解決するための手段】
【０００６】
上記の課題を解決するために、本発明の第１の態様の撮影用照明装置は、撮影に用いる照明光を形成する撮影用照明装置であって、キセノン管を有する放電光源部と、ＬＥＤを有するＬＥＤ光源部と、前記放電光源部および前記ＬＥＤ光源部を保持する装置本体部と、を備え、前記放電光源部および前記ＬＥＤ光源部は、互いの照射光軸の方向が相対的に変更可能である構成とする。
なお、本明細書では、「ＬＥＤ」は、Light Emitting Diodeの略称であり、発光ダイオードを意味する。
【０００７】
上記撮影用照明装置では、前記放電光源部は、その照射光軸の位置および方向が装置本体部に対して一定となるように、該装置本体部に固定され、前記ＬＥＤ光源部は、その照射光軸の方向が前記装置本体部に対して変更可能となるように、該装置本体部に保持されていることが可能である。
【０００８】
上記撮影用照明装置では、前記ＬＥＤ光源部は、その照射光軸が前記放電光源部の照射光軸の方向に対して傾斜可能となるように、前記装置本体部に保持されていることが可能である。
【０００９】
照射光軸が前記放電光源部の照射光軸の方向に対して傾斜可能な上記撮影用照明装置では、前記ＬＥＤ光源部は、その照射光軸を傾斜させるために前記装置本体部に設けられた回転保持部により回転可能に保持されていることが可能である。
【００１０】
上記撮影用照明装置では、前記ＬＥＤ光源部は、照明光の投光窓部が、前記装置本体部の内外に進退可能となるように、前記装置本体部に保持されていることが可能である。
【００１１】
上記撮影用照明装置では、前記ＬＥＤ光源部は、その照射光軸の方向を変更することにより、前記放電光源部の照射領域の外縁部に重なる領域に照明光が照射可能となるように、前記装置本体部に保持されていることが可能である。
【００１２】
上記撮影用照明装置では、前記ＬＥＤ光源部は、色温度が異なる複数種類のＬＥＤチップを備え、該ＬＥＤチップは、互いに独立に発光制御可能である構成が可能である。
【００１３】
本発明の第２の態様の撮影装置は、上記撮影用照明装置と、撮影光学系を有する撮影装置本体と、を備える構成とする。
【００１４】
上記撮影装置では、前記撮影用照明装置は、前記装置本体部に対して、前記ＬＥＤ光源部の照射光軸の方向を変更する光源移動部を備え、前記撮影装置本体は、前記光源移動部の動作を制御して、前記ＬＥＤ光源部の照射光軸の方向を制御する移動制御部を備えることが可能である。
【発明の効果】
【００１５】
本発明の撮影用照明装置および撮影装置によれば、放電光源部とＬＥＤ光源部とを有するため、撮影用の照明光による画像の不自然さを容易に低減することができるという効果を奏する。
【図面の簡単な説明】
【００１６】
【図１】本発明の第１の実施形態の撮影用照明装置が内蔵された撮影装置の概略構成を示す模式的な斜視図である。
【図２】図１におけるＢ視図である。
【図３】本発明の第１の実施形態の撮影用照明装置に用いるＬＥＤ光源部の照射光軸を含む断面を示す模式的な断面図である。
【図４】本発明の第１の実施形態の撮影用照明装置に用いる回転ストッパの模式的な平面図である。
【図５】図１におけるＡ−Ａ断面図である。
【図６】図５におけるＣ−Ｃ断面図である。
【図７】本発明の第１の実施形態の撮影用照明装置に用いるＬＥＤの配置構成の一例および他例を示す模式的な正面図である。
【図８】図７におけるＤ−Ｄ断面図である。
【図９】本発明の第１の実施形態の撮影用照明装置および撮影装置の主要部のシステム構成を示すブロック図である。
【図１０】本発明の第１の実施形態の撮影用照明装置のＬＥＤ光源部の進退動作を説明する動作説明図である。
【図１１】本発明の第１の実施形態の撮影装置の放電光源部のみを用いた撮影例を説明する平面図、およびその画像例の模式図である。
【図１２】本発明の第１の実施形態の撮影装置の放電光源部およびＬＥＤ光源部を併用した撮影例を説明する平面図、およびその画像例の模式図である。
【図１３】本発明の第１の実施形態の撮影装置の放電光源部およびＬＥＤ光源部を併用した他の撮影例を説明する平面図である。
【図１４】本発明の第１の実施形態の第１変形例の撮影用照明装置に用いるＬＥＤの配置構成の一例および他例を示す模式的な正面図である。
【図１５】本発明の第２の実施形態の撮影用照明装置および撮影装置の主要部のシステム構成を示すブロック図である。
【図１６】本発明の第２の実施形態の撮影装置におけるＬＥＤ光源部の構成を示す模式的な部分断面図である。
【発明を実施するための形態】
【００１７】
以下では、本発明の実施形態について添付図面を参照して説明する。すべての図面において、実施形態が異なる場合であっても、同一または相当する部材には同一の符号を付し、共通する説明は省略する。
【００１８】
［第１の実施形態］
本発明の第１の実施形態の撮影用照明装置および撮影装置について説明する。
図１（ａ）、（ｂ）は、本発明の第１の実施形態の撮影用照明装置が内蔵された撮影装置の概略構成を示す模式的な斜視図である。図１（ａ）は、ＬＥＤ光源部がポップアップした状態を示し、図１（ｂ）は、ＬＥＤ光源部を格納した状態を示す。図２は、図１（ａ）におけるＢ視図である。図３は、本発明の第１の実施形態の撮影用照明装置に用いるＬＥＤ光源部の照射光軸を含む断面を示す模式的な断面図である。図４は、本発明の第１の実施形態の撮影用照明装置に用いる回転ストッパの模式的な平面図である。図５は、図１におけるＡ−Ａ断面図である。図６は、図５におけるＣ−Ｃ断面図である。図７（ａ）、（ｂ）は、本発明の第１の実施形態の撮影用照明装置に用いるＬＥＤの配置構成の一例および他例を示す模式的な正面図である。図８は、図７（ａ）におけるＤ−Ｄ断面図である。図９は、本発明の第１の実施形態の撮影用照明装置および撮影装置の主要部のシステム構成を示すブロック図である。
【００１９】
図１（ａ）、（ｂ）、図２に示すように、本実施形態の撮影装置であるカメラ１００は、種々の撮影シーンに応じて被写体の静止画像または動画像を撮像するコンパクトデジタルカメラである。
カメラ１００は、被写体の像を取得する撮影光学系である撮影レンズ部３と、撮影レンズ部３が内蔵され撮影レンズ部３による被写体の像を図示略の撮像素子で撮像する本体部２（装置本体部、撮影装置本体）と、撮影に用いる照明光を形成する照明部１（撮影用照明装置）とを備える。
【００２０】
本体部２は、矩形状の前面部２Ｆと、前面部２Ｆの長辺の一方に隣接する上面部２Ｕと、上面部２Ｕを挟んで前面部２Ｆと対向する背面部２Ｂとを有する直方体状の筐体２ａに覆われている。
前面部２Ｆの略中心部には、図１（ａ）に示すように、撮影光軸Ｏ３が前面部２Ｆの法線方向に沿うように、撮影レンズ部３が設けられている。
上面部２Ｕを上方に向けたとき背面部２Ｂ側から見て右側の上面部２Ｕ上には、シャッターボタン６が配置されている。シャッターボタン６が半押しされると、後述する制御部２６によってＡＦ（自動焦点合わせ）動作およびＡＥ（自動露出）動作の制御が行われ、シャッターボタン６が全押しされると、制御部２６によってシャッターリリースの制御が行われる。
【００２１】
カメラ１００を用いた標準的な撮影では、被写体に撮影レンズ部３を向けるとともに、上面部２Ｕが上向きとなるようにカメラ１００を保持し、シャッターボタン６を下方に押下することによりシャッターリリースを行う。
以下の説明では、カメラ１００各部の相対位置の説明を簡略化するため、特に断らない限り、カメラ１００がこのような標準的な撮影を行う際の姿勢に置かれているものとして、上（下）方向、上（下）側、上（下）端などの用語を用いる。
【００２２】
背面部２Ｂには、撮像された画像や映像を表示したり、操作に必要なＧＵＩ（グラフィカルユーザーインタフェース）からなる操作画面や入力情報を表示したりする液晶モニタ７と、液晶モニタ７に表示される操作画面上でカーソル移動や決定などの操作入力を行う十字ボタン８ｂと、カメラ１００の各種の動作モードの操作入力を行う複数の選択ボタン８ａや、静止画撮影モード、動画撮影モード、再生モード等を切り替えたりする操作ボタン８ｃとが設けられている。
選択ボタン８ａによって、操作入力を行う動作モードが選択されると、液晶モニタ７には、ツリー構造を有するＧＵＩ操作画面が表示され、十字ボタン８ｂを用いて、操作メニューの選択や操作入力、設定を行うことができるようになっている。
これら、選択ボタン８ａ、十字ボタン８ｂ、操作ボタン８ｃは、カメラ１００の操作部８を構成している。
カメラ１００の操作部８は、これら背面部２Ｂに設けられたボタン類には限定されず、適宜他の場所に設けられたボタン、レバー、ダイヤル、スイッチなどからなる操作部が含まれていてもよい。また、液晶モニタ７上にタッチパネルを備え、ＧＵＩと組み合わせたタッチパネル操作部を備えていてもよい。
【００２３】
照明部１は、放電光源部４とＬＥＤ光源部５Ｒ、５Ｌとを備える。
放電光源部４は、本体部２において上面部２Ｕと撮影レンズ部３との間となる筐体２ａの内部に内蔵されている。
放電光源部４の構成は、放電作用により白色光を発光するものであれば、特に限定されず、カメラ用の内蔵ストロボに用いられる周知の構成はすべて採用することができる。
本実施形態では、放電光源部４は、前面部２Ｆと略整列して配置された透明材料からなる投光窓４ｂと、投光窓４ｂの裏面側の筐体２ａ内に配置され、背後が図示略の反射板で囲まれ、高圧放電によって照明光を放射するキセノン管４ａとを備える。
本実施形態に用いるキセノン管４ａの色温度は５４００Ｋである。
また、本実施形態では、放電光源部４は、その照射光軸Ｏ４が、撮影レンズ部３の撮影光軸Ｏ３の上方において撮影光軸Ｏ３と平行に延びるように配置されており、照射光軸Ｏ４と撮影光軸Ｏ３との位置関係が固定されている。
【００２４】
ＬＥＤ光源部５Ｒ、５Ｌは、図２に示すように、上面部２Ｕにおいて背面部２Ｂの方から見てそれぞれ右側、左側となる位置に、互いに間をあけて配置されている。
本実施形態では、ＬＥＤ光源部５Ｒ、５Ｌは、互いに同様の構成を有しており、後述するように、互いに同様の本体部２内の保持構造によって、上面部２Ｕ上に進退可能な状態で保持されている。
以下では、ＬＥＤ光源部５Ｒ（５Ｌ）が本体部２の外部に突出した状態（図１（ａ）参照）をポップアップ状態、本体部２の内側に格納された状態（図１（ｂ）参照）、格納状態と称する。
【００２５】
ＬＥＤ光源部５Ｒ（５Ｌ）は、図３に示すように、円筒状筐体５ｂの内部に、照明光を形成する発光素子部２０Ａと、発光素子部２０Ａを実装する回路基板２１と、発光素子部２０Ａから出射される照明光を反射するため発光素子部２０Ａの側方を囲んで発光素子部２０Ａの前方に延ばされた反射板５ｄとを備える。なお、発光素子部２０Ａの構成については、ＬＥＤ光源部５Ｒ（５Ｌ）の構造および保持形態を説明した後に説明する。
【００２６】
円筒状筐体５ｂにおいて発光素子部２０Ａに対向する部位には、発光素子部２０Ａから出射される照明光を外部に投光するための開口部５ｇが設けられ、この開口部５ｇに透明材料からなる投光窓５ｃが嵌め込まれている。
投光窓５ｃは、屈折力を有しない一定板厚の透過窓であってもよいが、例えば、フレネルレンズなどの屈折力を有する形状として、出射される照明光を適宜の範囲に集光あるいは発散できるようにしてもよい。
投光窓５ｃから出射される照明光は、本実施形態では、円筒状筐体５ｂの中心軸に対して略直交する（直交する場合を含む）の照射光軸Ｏ５Ｒ（Ｏ５Ｒ）を中心として、ＬＥＤ光源部５Ｒ（５Ｌ）の外部に放射される。
【００２７】
円筒状筐体５ｂの下端部には、円筒状筐体５ｂの中心軸線と同軸に形成された滑らかな円筒孔からなる軸受部５ｆを内側に有する筒状部５ｅが延ばされている。
軸受部５ｆは、後述する受け台９の回転支軸９ｂと回転可能に嵌合できる孔径を有する。
このような円筒状筐体５ｂは、例えば、金属または合成樹脂、あるいは金属と合成樹脂との複合体によって構成される。
【００２８】
筒状部５ｅの下端部には、円筒状筐体５ｂの中心軸線回りの回転位置を規制する回転ストッパ２２が接合されている。
回転ストッパ２２は、本実施形態では、図４に示すように、筒状部５ｅの径方向外側に延ばされた可撓性を有する円環状の薄板部材からなる。回転ストッパ２２は、その周方向に沿って下側（図４の紙面手前側）に開口する複数の凹穴部２２ａが設けられている。
凹穴部２２ａの形状は特に限定されないが、本実施形態では、一例として、半球形状を採用している。
凹穴部２２ａの配置ピッチは、ＬＥＤ光源部５Ｒ（５Ｌ）の回転移動に必要な分解能θに応じて適宜設定すればよい。例えば、図４に示す例では、凹穴部２２ａは円周方向を１６等分する位置に設けられており、回転量の分解能θは２２．５°になっている。
【００２９】
なお、特に図示しないが、円筒状筐体５ｂと上面部２Ｕには、円筒状筐体５ｂの回転位置が視認可能なマークがそれぞれ形成されている。このため、撮影者はこれらのマークの位置関係によって照射光軸の方向を知ることができる。
【００３０】
円筒状筐体５ｂの下端部には、図３に示すように、ＬＥＤ光源部５Ｒ（５Ｌ）を回転移動させるための基台となる受け台９（回転保持部）が嵌め込まれている。
受け台９は、円筒状筐体５ｂの外径と等しい外径を有し、上側に開口した有底円筒状の部材である。
受け台９の底部の中心には、円筒状筐体５ｂの軸受部５ｆを回転可能に保持するため、上端部に抜け止め部が設けられた回転支軸９ｂが立設されている。
受け台９の底部の上面には、回転支軸９ｂを囲む円周上において、回転支軸９ｂに支持された回転ストッパ２２の凹穴部２２ａと対向可能な位置に、凹穴部２２ａとかみ合う形状の係止突起９ｃが複数設けられている。
係止突起９ｃの個数は、凹穴部２２ａの個数以下であれば、１以上の適宜個数が可能であり、例えば、回転時の操作抵抗などを考慮して設定することができる。本実施形態では、一例として、円周上を４等分する位置にそれぞれ１個ずつ合計４個が設けられている。
【００３１】
受け台９の中心部の下側には、円柱状の突起部９ａが突出されている。
そして、受け台９の中心には、回転支軸９ｂと突起部９ａとを貫通する貫通孔９ｄが設けられている。
貫通孔９ｄ内には、回路基板２１と、後述する制御部２６とを電気的に接続する配線２１ａが挿通されている。
【００３２】
図５、６に示すように、ＬＥＤ光源部５Ｒ（５Ｌ）を回転可能に保持する受け台９は、光源部格納部材１２、コイルばね１０、および弾性ロッド１１を有する保持構造によって、上面部２Ｕ上に進退可能に保持されている。
【００３３】
光源部格納部材１２は、上面部２Ｕに開口し開口に連通する内部側に、格納部１２ａ、カム溝１２ｂと、ロッド収容部１２ｃとを備える。
【００３４】
格納部１２ａは、受け台９およびＬＥＤ光源部５Ｒ（５Ｌ）を本体部２の内部に格納するため、受け台９およびＬＥＤ光源部５Ｒ（５Ｌ）の外径と略同じ内径を有し、受け台９およびＬＥＤ光源部５Ｒ（５Ｌ）の軸方向の長さよりも深い円筒穴状に形成されている。
このため、格納部１２ａは、受け台９およびＬＥＤ光源部５Ｒ（Ｌ）を上面部２Ｕの下方にわずか押し込んだ状態で、受け台９と格納部１２ａの底面との間に、弾性ロッド１１を圧縮状態で配置できる程度の隙間を有している。
【００３５】
カム溝１２ｂは、受け台９の進退動作を規制するため、後述する弾性ロッド１１の突起部１１ａを案内するループ状のカム面が形成された一定深さの溝部であり、格納部１２ａの下方に設けられている。
カム溝１２ｂのループ形状は、第１溝部Ｃ１、第２溝部Ｃ２、第３溝部Ｃ３、第４溝部Ｃ４、第５溝部Ｃ５、および第６溝部Ｃ６によって構成され、全体として、上側が山形に突出され、下側が二股に分かれて凹所が形成された六角形形状をなしている。
【００３６】
第１溝部Ｃ１は、上端部が、カム溝１２ｂの最上部を形成し、突起部１１ａを最上部で係止するとともに、突起部１１ａが下方に押し下げられた際に、突起部１１ａが斜め下方に向かう案内溝を構成する溝部である。
第２溝部Ｃ２は、突起部１１ａを、第１溝部Ｃ１の下端部から下方に向かって下降させるための案内溝を構成する直線状の溝部である。
第３溝部Ｃ３は、突起部１１ａが第２溝部Ｃ２の下端部から上方に引き上げられる際に、突起部１１ａを斜め上方かつ第１溝部Ｃ１の上端部の直下の位置に向かう案内溝を構成する溝部である。
第４溝部Ｃ４は、突起部１１ａが第３溝部Ｃ３の上端部から下方に押し下げられる際に、突起部１１ａを第３溝部Ｃ３と反対側の斜め下方に向かう案内溝を構成する溝部である。
第５溝部Ｃ５は、突起部１１ａが第４溝部Ｃ４の下端部から上方に引き上げられる際に、突起部１１ａを上方に向かって上昇させるための直線状の案内溝を構成する溝部である。
第６溝部Ｃ６は、第５溝部Ｃ５の上端部から斜め上方の第１溝部Ｃ１の上端部に向かうる案内溝を構成する溝部である。
【００３７】
ロッド収容部１２ｃは、下端部の突起部１１ａがカム溝１２ｂに沿って移動する弾性ロッド１１を、格納部１２ａの底面の下方で移動可能に収容する空間である。
ロッド収容部１２ｃは、弾性ロッド１１が移動時に掃く空間を内側に含む空洞部として、カム溝１２ｂの全体を覆う六角形形状の範囲と、第１溝部Ｃ１および第６溝部Ｃ６の上端部で形成される山形の頂部と格納部１２ａの底部の中心部とを結ぶ線状の領域とに形成されている。
【００３８】
コイルばね１０は、光源部格納部材１２の格納部１２ａにおいて、その底面と受け台９の下面との間に挿入され、受け台９を下方から付勢する弾性部材である。
コイルばね１０の径は、外径が格納部１２ａの内径よりも小さく、内径が突起部９ａの外径よりも大きくなっている。
【００３９】
弾性ロッド１１は、上端部が突起部９ａの下端部に接続された弾性体からなる棒状部材である。弾性ロッド１１の下端部の側方には、カム溝１２ｂに嵌め込まれ、カム溝１２ｂに沿って移動可能な突起部１１ａが設けられている。
弾性ロッド１１の基端部から突起部１１ａまでの長さは、突起部１１ａがカム溝１２ｂの第１溝部Ｃ１の上端部に係止されたときに、少なくともＬＥＤ光源部５Ｒ（５Ｌ）の投光窓５ｃが上面部２Ｕ上に突出するポップアップ状態となり、かつ、突起部１１ａがカム溝１２ｂの第３溝部Ｃ３の上端部に係止されたときに、ＬＥＤ光源部５Ｒ（５Ｌ）の上端面５ａが上面部２Ｕと整列する格納状態となるような長さとされる。
このため、突起部１１ａが、第３溝部Ｃ３の上端部よりも下側の第２溝部Ｃ２の下端部または第４溝部Ｃ４の下端部に移動した際には、ＬＥＤ光源部５Ｒ（５Ｌ）の上端面５ａが上面部２Ｕよりも内側に陥没するようになっている。
【００４０】
なお、特に図示しないが、本体部２には、ＬＥＤ光源部５Ｒ、５Ｌがポップアップ状態かどうかを検出するフォトリフレクター方式の位置検出センサが設けられている。この位置検出センサの出力は後述する制御部２６に送出される。
【００４１】
本実施形態において、照明部１は撮影用照明装置を構成しており、撮影用照明装置が撮影装置であるカメラ１００に内蔵され、一体化されている場合の例になっている。
このため、本体部２は、撮影用照明装置において放電光源部およびＬＥＤ光源部を保持する装置本体部にもなっている。
【００４２】
次に、ＬＥＤ光源部５Ｒ、５Ｌに用いる発光素子部２０Ａの構成について説明する。
発光素子部２０Ａは、図７（ａ）に示すように、回路基板２１に三種類の白色ＬＥＤ２０ａ、２０ｂ、２０ｃ（ＬＥＤ）が、矩形状領域内に２次元格子状に配列された素子群からなり、照明光は、これらの白色ＬＥＤ２０ａ、２０ｂ、２０ｃからそれぞれ放射された光束を重ね合わせて構成される。白色ＬＥＤ２０ａ、２０ｂ、２０ｃの出射光束の中心軸の向きは、いずれも回路基板２１に直交する方向に揃えられている。
このため、発光素子部２０Ａは、白色ＬＥＤ２０ａ、２０ｂ、２０ｃが配列された矩形状領域を発光領域とする擬似的な面発光光源になっている。
白色ＬＥＤ２０ａ、２０ｂ、２０ｃのそれぞれの個数は、特に限定されず、それぞれ同数でもよいし、異なる個数でもよい。また、本実施形態では、互いに異なる種類同士が隣接するように配置しているが、同種のものが隣接するように配列してもよい。
白色ＬＥＤ２０ａ、２０ｂ、２０ｃの違いは色温度の違いである。本実施形態では、一例として、それぞれの色温度を３５００Ｋ、５４００Ｋ、７０００Ｋとしている。
このため、発光素子部２０Ａでは、白色ＬＥＤ２０ａ、２０ｂ、２０ｃの発光量を、０から最大値までの間の適宜値に変化させるとともに、発光個数を制御することで、ＬＥＤ光源部５Ｒ、５Ｌから出射される照明光の色温度および発光量を変更することが可能である。
例えば、照明光の色温度は、２０００Ｋから１００００Ｋまで段階的に変更できるようになっている。
このように、発光素子部２０Ａは、照明光の色温度が変更可能な色温度可変光源になっている。
【００４３】
白色ＬＥＤ２０ａ、２０ｂ、２０ｃの構成の一例について、図８に示す白色ＬＥＤ２０ａ、２０ｂの例で説明する。
白色ＬＥＤ２０ａは、回路基板２１上でバンク部３４に囲まれた矩形領域の内部に、青色光を発光する複数の青色ＬＥＤチップ３２（ＬＥＤチップ）がダイボンド材３３を介して固定され、そのチップ面上を覆うように蛍光材料３７Ａが積層されている。
また、各青色ＬＥＤチップ３２は、互いにボンディングワイヤ３６によって接続されるとともに、電流を供給するためバンク部３４内に配線された金属配線３５ともボンディングワイヤ３６を介して接続されている。
蛍光材料３７Ａは、青色光を照射すると黄色光が誘起される特性を有するものを採用している。
このため、青色ＬＥＤチップ３２に電流が供給され青色光が発生すると、一部の青色光が蛍光材料３７Ａを透過し、その他の青色光が蛍光材料３７Ａに当たって黄色光を誘起するため、これらが混色して白色光が出射される。
ここで、白色ＬＥＤ２０ａの色温度は、青色光と黄色光との発生比率によって決まるため、青色ＬＥＤチップ３２上に積層される蛍光材料３７Ａの厚さｔ１によって変化する。
本実施形態では、厚さｔ１は、色温度が３５００Ｋになるように予め調整されている。
【００４４】
白色ＬＥＤ２０ｂは、白色ＬＥＤ２０ａの蛍光材料３７Ａに代えて青色ＬＥＤチップ３２上の厚さがｔ１よりも薄いｔ２である蛍光材料３７Ｂを備える点のみが、白色ＬＥＤ２０ａと異なる。本実施形態では、厚さｔ２は、色温度が５４００Ｋになるように予め調整されている。
また、特に図示しないが、同様にして、白色ＬＥＤ２０ｃは、青色ＬＥＤチップ３２上に、色温度が７０００Ｋになるように予め調整された厚さを有する蛍光材料が積層されている。
【００４５】
なお、白色ＬＥＤ２０ａ、２０ｂ、２０ｃは、それぞれのバンク部３４内の青色ＬＥＤチップ３２の個数を変更することにより、それぞれの発光量を変化させることができる。このため、１個当たりの青色ＬＥＤチップ３２を増加することで、発光素子部２０Ａと同等の発光量を有する３個の白色ＬＥＤ２０ａ、２０ｂ、２０ｃを形成することも可能である。
したがって、本実施形態の発光素子部２０Ａに代えて、図７（ｂ）に示すような白色ＬＥＤ２０ａ、２０ｂ、２０ｃがそれぞれ１個ずつ配置された発光素子部２０Ｂを採用することも可能である。
また、図示は省略するが、発光素子部２０Ａの各白色ＬＥＤ２０ａ、２０ｂ、２０ｃにおいて、青色ＬＥＤチップ３２がそれぞれ１個からなる構成も可能である。
【００４６】
このような発光素子部２０Ａ、２０Ｂによれば、いずれもＬＥＤを用いるため、例えば、キセノン管を用いたストロボに比べると、簡素な構成となり、周辺回路構成も含めた部品点数を削減し、軽量化、小型化を図ることができる。
また、発光素子部２０Ａ、２０Ｂに用いるＬＥＤ光源は、青色ＬＥＤチップ３２と蛍光材料３７Ａ等の蛍光材料とを積層させた構成を有するため、例えば、赤色ＬＥＤ、緑色ＬＥＤ、青色ＬＥＤを組み合わせた白色ＬＥＤの構成と比べると、チップ数が少ないため、安価に製造することができ、小型化が可能である。
【００４７】
ここで、カメラ１００の電装部の構成について説明する。
カメラ１００の電装部は、図９に示すように、以上に説明した発光素子部２０Ａの他に、ＬＥＤ光源部５Ｒ、５Ｌをそれぞれ駆動するＬＥＤドライバ２５Ｒ、２５Ｌと、放電光源部４を発光させる発光回路２４と、制御部２６とを備える。
【００４８】
ＬＥＤドライバ２５Ｒ（２５Ｌ）は、それぞれの回路基板２１に配置された白色ＬＥＤ２０ａ、２０ｂ、２０ｃを個別または適宜のグループごとにスイッチングする回路、制御部２６からの制御信号に基づいて発光素子部２０Ａの各白色ＬＥＤ２０ａ、２０ｂ、２０ｃへの供給電流を制御して、それらの発光量と発光時間とを制御する駆動回路などを備える。
ＬＥＤドライバ２５Ｒ（２５Ｌ）は、各白色ＬＥＤ２０ａ、２０ｂ、２０ｃと、制御部２６とにそれぞれ電気的に接続されている。
【００４９】
制御部２６は、操作部８からの操作入力に応じてカメラ１００の各部の動作条件を設定し、シャッターボタン６の半押しまたは全押しの操作に応じて、ＡＦ動作、ＡＥ動作、放電光源部４およびＬＥＤ光源部５Ｒ、５Ｌの発光制御、撮像動作等を含む撮影動作全般の制御を行うものである。
操作部８から設定可能な動作モードには、放電光源部４およびＬＥＤ光源部５Ｒ、５Ｌの発光モードが含まれる。
【００５０】
例えば、操作ボタン８ｃによって動画撮影モードが選択された場合の発光モードとしては、「強制発光」モード、「自動発光」モード、「発光禁止」モードのいずれかを選択する設定が可能である。
「強制発光」モードは、制御部２６が、ＬＥＤ光源部５Ｒ、５Ｌがポップアップ状態にあることを検知した場合に、動画撮影開始から動画撮影終了までＬＥＤ光源部５Ｒ、５Ｌを一定光量で連続発光させる発光モードである。
「自動発光」モードは、制御部２６が、ＬＥＤ光源部５Ｒ、５Ｌがポップアップ状態にあることを検知した場合に、被写体の適正露出が得られるように、ＬＥＤ光源部５Ｒ、５Ｌの発光量調整を行いながら、動画撮影開始から動画撮影終了までＬＥＤ光源部５Ｒ、５Ｌを連続発光させる発光モードである。
「発光禁止」モードは、制御部２６が、ＬＥＤ光源部５Ｒ、５Ｌがポップアップ状態にあっても、ＬＥＤ光源部５Ｒ、５Ｌの発光を禁止する発光モードである。
【００５１】
また、操作ボタン８ｃによって静止画撮影モードが選択された場合、放電光源部４、ＬＥＤ光源部５Ｒ、５Ｌの発光動作について、以下に説明する複数のフラッシュ発光モードの選択が可能である。
【００５２】
図２に示す液晶モニタ７には、このフラッシュ発光選択を行う操作メニュー画面の一例が表示されている。
「人物撮影」モードは、人物の静止画撮影に好適な発光モードであり、ＬＥＤ光源部５Ｒ、５Ｌの照明光の色温度を低くして、色温度が高い放電光源部４の照明光とともにストロボ発光させる動作を行う。ＬＥＤ光源部５Ｒ、５Ｌの色温度は、予めデフォルト値が設定されており、本実施形態では、一例として、３５００Ｋに設定されている。
これにより、放電光源部４の照明光によって白っぽくなりがちな人物の顔や肌に、ＬＥＤ光源部５Ｒ、５Ｌからのやや黄色みを帯びた照明光と、放電光源部４の５４００Ｋの照明光とが混合して照射されることになる。また、ＬＥＤ光源部５Ｒ、５Ｌの照明光は、光の質がやわらかく（撮影画像の被写体エッジがなめらかになる）のに対して、放電光源部４の光の質は硬く（撮影画像の被写体エッジがでやすい）なる傾向がある。
このため、本モードを選択するだけで、照明光の「硬さ」が和らげられ、人物を主要な被写体とする撮影シーンにおいて、より自然な調子の画像が得られる。
特に、人物および食べ物を撮影する場合、ＬＥＤ光源部５Ｒ、５Ｌの照明光をメインに、キャッチライト光として放電光源部４を弱く発光することで、ＬＥＤ光源部５Ｒ、５Ｌの照明光のみで照明した場合に比べ、被写体エッジも少し残しながらもやわらかい画像が得られるため、自然な画像を得ることができる。
ここで、「ストロボ発光」とは、本体部２のシャッターが開放される間に行う短時間の発光を意味しており、連続的に発光するか、パルス状に発光するかは問わない。
【００５３】
「光量増加」モードは、主として撮影領域の周辺部に生じる放電光源部４の照明光の光量低下を補うため、ＬＥＤ光源部５Ｒ、５Ｌの照明光を放電光源部４と同一の色温度で発光させるモードであり、広角撮影や離れた位置の被写体の撮影などに好適な発光モードである。
本モードでは、ＬＥＤ光源部５Ｒ、５Ｌの色温度を、放電光源部４と同一の色温度に調整して発光させるため、撮影シーンにおける放電光源部４の発光強度分布を変更したのと同様の効果が得られる。例えば、後述するようにＬＥＤ光源部５Ｒ、５Ｌを回転することによって、それぞれの照射光軸を、光量低下が起こりやすい撮影範囲の周辺部や、特に明るく撮影したい被写体の部位などに向けることで、光量低下を解消したり、撮影意図にかなう撮影を行ったりすることができる。
【００５４】
「照明光調整」モードは、ＬＥＤ光源部５Ｒ、５Ｌの色温度を、撮影者が調整するモードである。
本モードでは、ＬＥＤ光源部５Ｒ、５Ｌの色温度を、それぞれ独立に、例えば、２０００Ｋから１００００Ｋまでの間で独立に変更することができる。このため、被写体の色、撮影シーンの色調、撮影意図に応じて、色温度を変更した照明光を照射することができる。
本モードは、色温度の数値による設定ができるようになっている。ただし、初心者でも容易に色温度の変更ができるように、予め撮影シーンの色調や撮影対象の種類等に応じて個別のデフォルトの色温度が設定されたモードの選択肢を設けることも可能である。
なお、本モードでは、放電光源部４の発光を停止して、ＬＥＤ光源部５Ｒ、５Ｌのみによって撮影する選択も可能になっている。この場合には、放電光源部４の色温度の照明光が混じらないため、より広範囲に色温度を変更することが可能となる。
【００５５】
「トーチ」モードは、動画撮影の場合と同様に、ＬＥＤ光源部５Ｒ、５Ｌを連続発光させ、シャッターボタン６が全押しされた場合に、ＬＥＤ光源部５Ｒ、５Ｌをストロボ発光させるモードである。
これにより、暗い撮影シーンにおいても、撮影前に被写体を確認できるため、構図を決めやすくなり、かつ、高精度なＡＦ動作を行うことが可能となる。
【００５６】
このような制御部２６の装置構成は、本実施形態では、ＣＰＵ、メモリ、入出力インターフェースなどを備えるコンピュータを採用している。
【００５７】
次に、カメラ１００の動作について、ＬＥＤ光源部５Ｒ、５Ｌの動作を中心として説明する。
図１０（ａ）、（ｂ）、（ｃ）、（ｄ）は、本発明の第１の実施形態の撮影用照明装置のＬＥＤ光源部の進退動作を説明する動作説明図である。図１１（ａ）は、本発明の第１の実施形態の撮影装置の放電光源部のみを用いた撮影例を説明する平面図である。図１１（ｂ）は、図１１（ａ）の撮影における画像例の模式図である。図１２（ａ）は、本発明の第１の実施形態の撮影装置の放電光源部およびＬＥＤ光源部を併用した撮影例を説明する平面図である。図１２（ｂ）は、図１２（ａ）の撮影における画像例の模式図である。図１３は、本発明の第１の実施形態の撮影装置の放電光源部およびＬＥＤ光源部を併用した他の撮影例を説明する平面図である。
【００５８】
まず、ＬＥＤ光源部５Ｒ、５Ｌにおける格納状態とポップアップ状態との切替動作について説明する。この切替動作は、ＬＥＤ光源部５Ｒ、５Ｌに共通であるため、以下では、ＬＥＤ光源部５Ｒをポップアップ状態とする場合の例で説明する。
【００５９】
本実施形態では、ＬＥＤ光源部５Ｒの上端面５ａを撮影者が押し込む動作を繰り返すのみで、ＬＥＤ光源部５Ｒの格納状態とポップアップ状態とを切り替えることができる。
まず、図１０（ａ）に示すように、格納状態のＬＥＤ光源部５Ｒでは、弾性ロッド１１の突起部１１ａが、第３溝部Ｃ３および第４溝部Ｃ４のなす山形の頂部であるｃ部に係止され、上端面５ａが上面部２Ｕに整列している。このとき、コイルばね１０が圧縮されているため、受け台９は、コイルばね１０によって下方から付勢されている。
【００６０】
図１０（ｂ）に示すように、上端面５ａを下側に押し込むと、突起部１１ａが第４溝部Ｃ４に沿って斜め下方にすべり、弾性ロッド１１を湾曲させつつ、第４溝部Ｃ４および第５溝部Ｃ５が接続するｄ部に移動する（図１０（ｂ）の実線矢印参照）。
ここで押し込んだ手を離すと、図１０（ｃ）に示すように、コイルばね１０の弾性復元力により、受け台９が上昇し、これに伴って、突起部１１ａが、第５溝部Ｃ５に沿って上昇する。突起部１１ａは、第５溝部Ｃ５および第６溝部Ｃ６が接続するｅ部を通って、第６溝部Ｃ６および第１溝部Ｃ１のなす山形の頂部であるｆ部に係止される（図１０（ｃ）の実線矢印参照）。
このとき、ＬＥＤ光源部５Ｒは、弾性ロッド１１の長さで決まる高さまで上昇している。本実施形態では、受け台９よりも上側のＬＥＤ光源部５Ｒが上面部２Ｕの上側に突出している。このため、投光窓５ｃの全体が上面部２Ｕの上方に位置している。
このようにして、ポップアップ状態が形成され、図示略の検知センサによって、ポップアップ状態が検知され、制御部２６に通知される。
【００６１】
ポップアップ状態では、撮影者が、ＬＥＤ光源部５Ｒの側面を把持して回すことで、図１（ａ）に示すように、ＬＥＤ光源部５Ｒの照射光軸Ｏ５Ｒを回転軸線Ｐ５Ｒ回りに回転させることが可能である。
【００６２】
このようなポップアップ状態から、格納状態に切り替えるには、図１０（ｄ）に示すように、上端面５ａを下側に押し込む。ｆ部の下方には、第１溝部Ｃ１の傾斜面が位置しているため、突起部１１ａは第１溝部Ｃ１に沿って斜め下方にすべり、弾性ロッド１１を湾曲させつつ、第１溝部Ｃ１および第２溝部Ｃ２が接続するａ部を通過する。これにより、突起部１１ａは、第２溝部Ｃ２に沿って下降し、第２溝部Ｃ２および第３溝部Ｃ３が接続するｂ部に到達する（図１０（ｄ）の実線矢印参照）。
ここで上端面５ａから手を離すと、コイルばね１０の弾性復元力により、受け台９およびＬＥＤ光源部５Ｒが上昇する。これに伴って、突起部１１ａが、第３溝部Ｃ３に沿って上昇し、図１０（ａ）に破線矢印で示すようにｃ部に係止される。
このようにして格納状態が形成される。格納状態が形成されたことは、図示略の検知センサによって検知され、制御部２６に通知される。
【００６３】
ＬＥＤ光源部５Ｒ（５Ｌ）をポップアップ状態にしたら、ＬＥＤ光源部５Ｒ（５Ｌ）を用いた撮影を行うことが可能になる。
一方、ＬＥＤ光源部５Ｒ（５Ｌ）が格納状態であると、制御部２６によってＬＥＤ光源部５Ｒ（５Ｌ）を用いた撮影が禁止され、ＬＥＤ光源部５Ｒ（５Ｌ）の発光モードは無効化される。
【００６４】
まず、ＬＥＤ光源部５Ｒ、５Ｌが格納状態とされ、放電光源部４のみをフラッシュ発光の光源に用いて静止画画像を撮影する場合の撮影例について説明する。
図１１（ａ）に示すように、背景壁１０１の前に配置された被写体Ｓを、その左右に側面壁１０２Ｌ、側面壁１０２Ｒが位置する屋内で撮影する。
撮影者は、被写体Ｓが撮影フレームに入るように、カメラ１００を構えて、シャッターボタン６を押す。シャッターボタン６が半押し状態になると、制御部２６の制御によってＡＦ動作およびＡＥ動作が実行され、シャッターボタン６の全押しによって、撮像が行われる。このとき、放電光源部４がストロボ発光し、被写体Ｓに向けて照明光Ｌ４が照射される。
【００６５】
この撮影例では、照明光Ｌ４が撮影光軸Ｏ３を中心として放射されるため、撮影光軸Ｏ３の正面に位置する被写体Ｓの後側に、照明光Ｌ４が回り込めない領域が発生し、図１１（ｂ）に示すように、被写体Ｓを縁どるような濃い影Ｋ１が発生して不自然で見苦しい画像になってしまうおそれがある。
また、被写体Ｓには、正面から色温度が高い照明光Ｌ４が照射されるため、やや硬い照明となり、例えば、被写体Ｓが人物などの場合には、肌色がとんで平面的な不自然な印象の画像になってしまうおそれがある。
【００６６】
これに対して、ＬＥＤ光源部５Ｒ、５Ｌをポップアップ状態とすると、ＬＥＤ光源部５Ｒ、５Ｌを用いて、これらの画像をより自然な画像として撮影することが可能となる。
そのためには、撮影者は、予め操作部８を通して、発光モードを「人物撮影」モードにしておく。
そして、ＬＥＤ光源部５Ｒ、５Ｌをポップアップ状態としてから、図１２（ａ）に示すように、ＬＥＤ光源部５Ｒの側面を把持して回転させ、照射光軸Ｏ５Ｒを撮影光軸Ｏ３に対して右側の側面壁１０２Ｒ側に向ける。
【００６７】
図３に示すように、ＬＥＤ光源部５Ｒの円筒状筐体５ｂは、回転ストッパ２２の凹穴部２２ａが受け台９の係止突起９ｃ上に嵌っているため、回転軸線Ｐ５Ｒ回りの位置が固定され、回転に対するある程度の抵抗を有している。
この抵抗に抗して円筒状筐体５ｂを回転させると、回転ストッパ２２がたわんで凹穴部２２ａが係止突起９ｃから外れて、抵抗が減少し円筒状筐体５ｂが回転移動する。ただし、係止突起９ｃ上には隣の凹穴部２２ａが移動してくると、回転ストッパ２２の弾性復元力によってこの隣の凹穴部２２ａが係止突起９ｃに嵌りこむ。このようにして、回転の分解能θだけの回転が完了する。
撮影者は、必要な回転量に達するまで、ＬＥＤ光源部５Ｒを回転する。撮影者は、図示略のマークを見ることで、最終的な回転角度を確かめることができる。
同様にして、ＬＥＤ光源部５Ｌの側面を把持して回転させ、照射光軸Ｏ５Ｌを撮影光軸Ｏ３に対して左側の側面壁１０２Ｌ側に向ける。
【００６８】
このようにして、ＬＥＤ光源部５Ｒ、５Ｌからそれぞれの照射光軸Ｏ５Ｒ、Ｏ５Ｌを中心として照明光Ｌ５Ｒ、Ｌ５Ｌを放射させて、側面壁１０２Ｒ、１０２Ｌで反射されたバウンス光を被写体Ｓに照射することが可能となる。
ＬＥＤ光源部５Ｒ、５Ｌの回転角度は、被写体Ｓに対する撮影距離と、側面壁１０２Ｒ、１０２Ｌに対する位置関係に応じて、撮影者が適宜選択する。
【００６９】
この状態で、撮影者がシャッターボタン６を押すと、上記と同様にして、撮像が行われる。ただし、本例では、ＬＥＤ光源部５Ｒ、５Ｌがポップアップされているため、シャッターボタン６の全押しで、放電光源部４に加えてＬＥＤ光源部５Ｒ、５Ｌも発光する点が異なる。
ＬＥＤ光源部５Ｒ、５Ｌから出射された照明光Ｌ５Ｒ、Ｌ５Ｌは、側面壁１０２Ｒ、１０２Ｌで反射し、照明光Ｌ５Ｒが被写体Ｓの右斜め前方から、照明光Ｌ５Ｌが被写体Ｓの左斜め前方から照射される。これにより、照明光Ｌ４が回り込めない被写体Ｓの背後もある程度、照明されるため、図１２（ｂ）に示すように、被写体Ｓの周囲には、影がほとんどなくなるか、残るとしても、放電光源部４のみを発光させる場合に比べて、格段に薄い影Ｋ２程度しか形成されない。
また、被写体Ｓの正面には、色温度の低い照明光Ｌ５Ｒ、Ｌ５Ｌが重ね合わされるため、人物の肌色の色合いがとぶことなく、自然な画像になる。
【００７０】
次に、放電光源部４およびＬＥＤ光源部５Ｒ、５Ｌを用いた他の撮影例について説明する。
本撮影例は、ＬＥＤ光源部５Ｒ、５Ｌを放電光源部４の光量不足を補うために用いる撮影例である。撮影者は、予め操作部８を通して、発光モードを「光量増加」モードにしておく。
そして、ＬＥＤ光源部５Ｒ、５Ｌをポップアップ状態としてから、ＬＥＤ光源部５Ｒ、５Ｌを回転させて、照射光軸Ｏ５Ｒ、Ｏ５Ｌを光量不足が発生しやすい方向に向ける。
放電光源部４の光量分布は、照射光軸Ｏ４から離れるほど低下するため、特に広角撮影では、撮影領域の中心部に比べて周辺部が光量不足になりやすい。
また、撮影領域の中心部であっても、撮影距離が遠い場合には光量不足になりやすい。
【００７１】
図１３に示す例は、図１１（ａ）に示す撮影例に比べて、撮影距離が遠い場合の例である。この場合、放電光源部４のみの発光では、図１１（ａ）に比べて広い撮影領域に照明光Ｌ４が分散する結果、被写体Ｓに到達する光量が低下する。
そこで本撮影例では、ＬＥＤ光源部５Ｒ、５Ｌの照射光軸Ｏ５Ｒ、Ｏ５Ｌを、照射光軸Ｏ４と略同方向に向ける。ＬＥＤ光源部５Ｒ、５Ｌは、撮影光軸Ｏ３に対して、それぞれ右側、左側にずれているため、照明光Ｌ５Ｒ、Ｌ５Ｌは、それぞれ、照明光Ｌ４の照射領域に比べて、それぞれ右側、左側にずれた範囲に照射される。
図１３に示す例では、照明光Ｌ５Ｒ、Ｌ５Ｌの一部は、互いに重なって、被写体Ｓに照射され、その他は、被写体Ｓの右側、左側において、照明光の周辺部を覆う領域に照射される。このとき、ＬＥＤ光源部５Ｒ、５Ｌの色温度は、放電光源部４の色温度に一致されているため、撮影シーンにおける照明光の色味の相違は発生しない。
【００７２】
このため、本撮影例では、ＬＥＤ光源部５Ｒ、５Ｌによる照明光Ｌ５Ｒ、Ｌ５Ｌが、放電光源部４による照明光Ｌ４の照明範囲に対して、それぞれ右側、左側にずらして重ね合わされることで、撮影シーン全体の光量不足を解消している例になっている。
さらに、照射光軸Ｏ５Ｒ、Ｏ５Ｌの角度をそれぞれ右側、左側に回転させるとより広角の撮影における撮影領域の周辺部の光量不足を解消することが可能となる。
また、撮影領域内で特定の被写体の光量不足が予想される場合には、ＬＥＤ光源部５Ｒ、５Ｌの照射光軸Ｏ５Ｒ、Ｏ５Ｌの少なくともいずれかを、被写体の方向に向けて光量不足を解消することも可能である。
【００７３】
以上説明したように、カメラ１００によれば、撮影用照明装置として、放電光源部４とＬＥＤ光源部５Ｒ、５Ｌとを有するため、例えば、ＬＥＤ光源部５Ｒ、５Ｌの色温度を被写体や、撮影シーンの色調等に合わせることにより、撮影用の照明光による画像の不自然さを容易に低減することができる。
また、ＬＥＤ光源部５Ｒ、５Ｌと放電光源部４とを同時に発光させることにより、光量不足を解消することができる。
また、ＬＥＤ光源部５Ｒ、５Ｌの照射光軸Ｏ５Ｒ、Ｏ５Ｌを撮影光軸Ｏ３に対して回転することによって、これらによる照明光Ｌ５Ｒ、Ｌ５Ｌの照射光軸の方向を適宜変更することができる。これにより、照明光による被写体の影の出方を制御することができるため、被写体の影の出方による不自然さを容易に低減することができる。
また、光量不足を補う場合において、特に光量が不足する領域に向けて照明光を照射することができるため、効率的に光量不足を補うことができる。
また、キセノン管は安価に入手できるため、同じ発光量の照明光を、ＬＥＤ光源部のみで形成する構成の場合に比べて、部品コストを低減することができる。
【００７４】
［第１変形例］
次に、本実施形態の第１変形例の撮影用照明装置および撮影装置について説明する。
図１４（ａ）、（ｂ）は、本発明の第１の実施形態の第１変形例の撮影用照明装置に用いるＬＥＤ光源の一例および他例を示す模式的な正面図である。
【００７５】
図１に示すように、本変形例のカメラ１１０（撮影装置）は、上記第１の実施形態のカメラ１００の照明部１に代えて、照明部４１（撮影用照明装置）を備える。
照明部４１は、上記第１の実施形態のＬＥＤ光源部５Ｒ、５Ｌに代えて、それぞれＬＥＤ光源部４５Ｒ、４５Ｌを備える。
以下、上記第１の実施形態と異なる点を中心に説明する。
【００７６】
ＬＥＤ光源部４５Ｒ（４５Ｌ）は、図３に示すように、上記第１の実施形態のＬＥＤ光源部５Ｒ（５Ｌ）の発光素子部２０Ａに代えて、発光素子部７０Ａを備える。
発光素子部７０Ａは、図１４（ａ）に示すように、上記第１の実施形態の発光素子部２０Ａの白色ＬＥＤ２０ａ、２０ｂ、２０ｃに代えて、赤色光を発光する赤色ＬＥＤ７０ｒ（ＬＥＤ）、緑色光を発光する緑色ＬＥＤ７０ｇ（ＬＥＤ）、青色光を発光する青色ＬＥＤ７０ｂ（ＬＥＤ）を備える。
これらは、２個の緑色ＬＥＤ７０ｇと、赤色ＬＥＤ７０ｒおよび青色ＬＥＤ７０ｂとをそれぞれ対角に配置して、２×２の単位ユニットを構成し、この単位ユニットが矩形領域内に２次元格子状に配列されている。
【００７７】
発光素子部７０Ａは、上記第１の実施形態の発光素子部２０Ａと同様、図１４（ｂ）に示すような、赤色ＬＥＤ７０ｒ、緑色ＬＥＤ７０ｇ、青色ＬＥＤ７０ｂが１個ずつ配置された発光素子部７０Ｂに置き換えることも可能である。
【００７８】
本変形例のカメラ１１０によれば、制御部２６によって、赤色ＬＥＤ７０ｒ、緑色ＬＥＤ７０ｇ、青色ＬＥＤ７０ｂの発光量をそれぞれ個別に制御することにより、照明光の色温度を変更することができる。このため、上記第１の実施形態と同様な高品位の撮影を容易に行うことができる。
【００７９】
［第２の実施形態］
次に、本発明の第２の実施形態の撮影用照明装置および撮影装置について説明する。
図１５は、本発明の第２の実施形態の撮影用照明装置および撮影装置の主要部のシステム構成を示すブロック図である。図１６は、本発明の第２の実施形態の撮影装置におけるＬＥＤ光源部の構成を示す模式的な部分断面図である。
【００８０】
図１（ａ）、（ｂ）、図１５に示すように、本実施形態のカメラ１２０（撮影装置）は、上記第１の実施形態のカメラ１００の照明部１、制御部２６に代えて、照明部５１（撮影用照明装置）、制御部５６（移動制御部）を備える。
照明部５１は、上記第１の実施形態のＬＥＤ光源部５Ｒ、５Ｌに代えて、それぞれＬＥＤ光源部５５Ｒ、５５Ｌを備える。
以下、上記第１の実施形態と異なる点を中心に説明する。
【００８１】
ＬＥＤ光源部５５Ｒ（５５Ｌ）は、図１６に示すように、上記第１の実施形態のＬＥＤ光源部５Ｒ（５Ｌ）の回転ストッパ２２を削除し、円筒状筐体５ｂの筒状部５ｅ、受け台９に代えて、筒状部５５ｅ、受け台５９を備え、回転モータ５０Ｒ（５０Ｌ）（光源移動部）を追加したものである。
【００８２】
筒状部５５ｅは、上記第１の実施形態の筒状部５ｅと同様な筒状部分であるが、内周面が軸受部として用いられることがなく、配線２１ａを挿通する貫通孔として用いられている。
受け台５９は、上記第１の実施形態の受け台９から係止突起９ｃを削除した部材である。
回転モータ５０Ｒ（５０Ｌ）は、制御部５６（図１６参照）からの制御信号に基づいて、上記第１の実施形態の回転軸線Ｐ５Ｒ（Ｐ５Ｌ）回りに、ＬＥＤ光源部５５Ｒ（５５Ｌ）の筒状部５５ｅを回転可能に支持するもので、受け台５９の底面部の上側に固定されている。
回転モータ５０Ｒ（５０Ｌ）は、例えば、ステッピングモータからなり、受け台５９の回転位置を適宜の回転角に合わせて変更することができる。
【００８３】
制御部５６は、図１５に示すように、回転モータ５０Ｒ、５０Ｌに電気的に接続され、上記第１の実施形態の制御部２６の制御機能に加えて、回転モータ５０Ｒ、５０Ｌの回転位置を制御する機能を有している。
これにより、本実施形態では、ＬＥＤ光源部５５Ｒ、５５Ｌの照射光軸の回転は、制御部５６から送出される制御信号に基づいて行われる。
【００８４】
本実施形態のカメラ１２０によれば、放電光源部４およびＬＥＤ光源部５５Ｒ、５５Ｌを備えるため、上記第１の実施形態と同様にして、撮影用の照明光による画像の不自然さを容易に低減することができる。
ただし、本実施形態では、ＬＥＤ光源部５５Ｒ、５５Ｌの回転操作が、予め操作入力された設定値、または操作部８を介した撮影者の操作入力に応じて行われる点のみが、上記第１の実施形態と異なる。
このため、本実施形態では、第１の実施形態に比べると、ＬＥＤ光源部５５Ｒ、５５Ｌの回転操作を、容易かつ迅速に行うことができる。
すなわち、制御部５６は、動作モードとして、「バウンス撮影」モード、「照明部回転」モードとを有している。
【００８５】
「バウンス撮影」モードは、バウンス撮影に好適となるＬＥＤ光源部５５Ｒ、５５Ｌの照射光軸の角度が、複数登録されており、操作メニューを液晶モニタ７に表示させた状態で、十字ボタン８ｂを用いて、登録済みの照射光軸の角度が選択できるようになっている。撮影者が角度を選択すると、制御部５６によって、回転モータ５０Ｒ、５０Ｌが駆動され、ＬＥＤ光源部５５Ｒ、５５Ｌの照射光軸の角度が選択値に設定される。
このため、撮影者にとって照射光軸の位置合わせが容易になる。
【００８６】
「照明部回転」モードは、ＬＥＤ光源部５５Ｒ、５５Ｌの照射光軸の角度を、操作部８を通して撮影者が自由に設定できるモードである。このため、撮影者は撮影意図にあった照射光軸の方向を正確に設定することができる。
【００８７】
なお、上記の各実施形態、変形例の説明では、撮影用照明装置のＬＥＤ光源部が２個の場合の例で説明したが、ＬＥＤ光源部は、１個でもよいし、３個以上でもよい。
また、ＬＥＤ光源部は、２個とも回転可能に保持されることで、各ＬＥＤ光源部の照射光軸の方向が変更される場合の例で説明したが、放電光源部の照射光軸と、ＬＥＤ光源部の照射光軸とが互いに離間していれば、被写体に対する照明光の照射角度や照射領域が変化するため、ＬＥＤ光源部の照射光軸の方向を変更する構成は必須ではない。
また、照射光軸の方向を変更する場合でも、複数のＬＥＤ光源部を備える場合に、すべてを変更できるようにする必要はなく、一部の照射光軸が固定されていてもよい。
【００８８】
また、上記の各実施形態、変形例の説明では、ＬＥＤ光源部の照射光軸を回転して、放電光源部に対する互いの照射光軸の方向を相対的に変更する場合の例で説明したが、ＬＥＤ光源部の照射光軸を装置本体部に対して固定して、放電光源部の照射光軸の向きを変化させることによって、方向を相対的に変更してもよい。
【００８９】
また、上記の各実施形態、変形例の説明では、ＬＥＤ光源部を発光させる場合、放電光源部と合わせて発光させる場合の例で説明したが、放電光源部４の発光を禁止して、ＬＥＤ光源部のみによって照明を行うようにしてもよい。
【００９０】
また、上記の各実施形態、変形例の説明では、ＬＥＤ光源部を発光させる場合、放電光源部と合わせて発光させることにより、放電光源部の照明光の色味を改善したり、光量不足を補ったりする場合の例で説明したが、これは、放電光源部が主照明で、ＬＥＤ光源部が補助照明であるという意味ではない。
例えば、放電光源部とＬＥＤ光源部とを同時に発光させる場合、ＬＥＤ光源部が主照明、放電光源部が補助的な照明として使用してもよい。
例えば、上記第１の実施形態で説明した「人物撮影」モードとバウンス撮影とを組み合わせた例において、放電光源部の照明光は被写体の目にキャッチアイを入れるために強度は抑えて使用し、被写体の画像を取得するための主たる照明光としては、ＬＥＤ光源部による適宜色温度を変更したバウンス光を用いることができる。
【００９１】
また、上記各実施形態、変形例の説明では、ＬＥＤ光源部の照射光軸の方向を変更する場合に、回転移動によってＬＥＤの向きを変更する場合の例で説明したが、ＬＥＤの向きを固定した状態で照射光軸の方向を変えてもよい。
例えば、反射板５ｄを移動させることにより、照射光軸を変更したり、投光窓５ｃがレンズで構成される場合に、投光窓５ｃの光軸の方向を変更したりすることによって、照射光軸の向きを変えてもよい。
【００９２】
また、上記第１の実施形態の説明では、半球状の凹穴部２２ａを有する回転ストッパ２２を用いてＬＥＤ光源部５Ｒ、５Ｌの回転位置を段階的に変更した場合の例で説明したが、これは一例であって、種々の形状に置き換えることが可能である。例えば、波形や鋸歯状の凹凸部として形成してもよい。
また、ＬＥＤ光源部５Ｒ、５Ｌの回転位置を段階的に変更することは必須ではなく、無段階に変更できるようにしてもよい。例えば、ＬＥＤ光源部５Ｒ、５Ｌの回転位置を摩擦力によって保持する構成として、無段階に回転位置を変更できるようにしてもよい。
【００９３】
また、上記の各実施形態、変形例の説明では、撮影用照明装置を撮影装置に内蔵し、撮影装置と一体化して用いる場合の例で説明したが、撮影用照明装置は、例えば、撮影装置本体とは別体の装置本体部に放電光源部、ＬＥＤ光源部が保持された形態とし、撮影装置に設けられたホットシューなどの接続部を介して着脱可能に接続されていてもよい。
また、撮影装置本体に放電光源部を設け、ＬＥＤ光源部のみを撮影装置本体に着脱可能に設けてもよい。この場合には、撮影用照明装置の装置本体部は、撮影装置本体とＬＥＤ光源部の可動部を除く筐体部になる。
【００９４】
また、上記の各実施形態、変形例の説明では、撮影装置がコンパクトデジタルカメラの場合の例で説明したが、撮影装置としては、被写体を撮影する装置であれば、特に限定されず、例えば、一眼レフカメラやミラーレス一眼カメラでもよいし、ビデオカメラでもよい。さらに、撮影装置は、撮像素子で画像を撮像する装置には限定されず、アナログカメラなどであってもよい。
【００９５】
また、上記の各実施形態、第１変形例で説明したすべての構成要素は、本発明の技術的思想の範囲で適宜組み合わせたり、削除したりして実施することができる。
例えば、上記第１の実施形態では、「人物撮影」モードとバウンス撮影とを組み合わせた例で説明したが、発光モードと、ＬＥＤ光源部の照射光軸の方向とは、必要に応じて組合せを変えて実施することが可能である。
例えば、図１２を用いて説明したバウンス撮影は、「人物撮影」モード以外の撮影モードと組み合わせて実施することができる。
【符号の説明】
【００９６】
１、４１、５１  照明部（撮影用照明装置）
２  本体部（装置本体部、撮影装置本体）
２Ｕ  上面部
３  撮影レンズ部（撮影光学系）
４  放電光源部
４ａ  キセノン管
５ａ  上端面
５ｂ  円筒状筐体
５ｃ  投光窓（投光窓部）
５Ｌ、５Ｒ、４５Ｒ、４５Ｌ、５５Ｒ、５５Ｌ  ＬＥＤ光源部
８  操作部
９、５９  受け台（回転保持部）
１０  コイルばね
１１  弾性ロッド
１１ａ  突起部
１２  光源部格納部材
１２ｂ  カム溝
２０Ａ、２０Ｂ、７０Ａ、７０Ｂ  発光素子部
２１  回路基板
２２  回転ストッパ
２５Ｒ、２５Ｌ  ＬＥＤドライバ
２６、５６  制御部
３２  青色ＬＥＤチップ
３７Ａ、３７Ｂ  蛍光材料
５０Ｒ、５０Ｌ  回転モータ
５６  制御部
１００、１１０、１２０  カメラ（撮影装置）
Ｌ４、Ｌ５Ｒ、Ｌ５Ｌ  照明光
２０ａ、２０ｂ、２０ｃ  白色ＬＥＤ（ＬＥＤ）
７０ｂ  青色ＬＥＤ（ＬＥＤ）
７０ｇ  緑色ＬＥＤ（ＬＥＤ）
７０ｒ  赤色ＬＥＤ（ＬＥＤ）
Ｏ３  撮影光軸
Ｏ４、Ｏ５Ｒ、Ｏ５Ｌ  照射光軸
Ｐ５Ｒ、Ｐ５Ｌ  回転軸線
Ｓ  被写体
【図１】
2014145834.tif 000003
【図２】
2014145834.tif 000004
【図３】
2014145834.tif 000005
【図４】
2014145834.tif 000006
【図５】
2014145834.tif 000007
【図６】
2014145834.tif 000008
【図７】
2014145834.tif 000009
【図８】
2014145834.tif 000010
【図９】
2014145834.tif 000011
【図１０】
2014145834.tif 000012
【図１１】
2014145834.tif 000013
【図１２】
2014145834.tif 000014
【図１３】
2014145834.tif 000015
【図１４】
2014145834.tif 000016
【図１５】
2014145834.tif 000017
【図１６】
2014145834.tif 000018